(57)【要約】【課題】連続的にスクリーンのラインを選択し、選択された一組のラインの各ラインに対して、カラムを選択し、選択されたカラムの電圧を動作電圧に設定することを可能とする発光ダイオードから構成されるマトリックスディスプレイを制御するための回路。【解決手段】この回路は、一組の前記ラインから各ラインの選択をする前に、少なくとも選択されたカラムをプリチャージ電圧にプリチャージすることを可能とし、プリチャージ電圧を調整する装置を含む。その装置は、一組のラインからラインを選択する毎に、選択されたカラムの動作電圧の中から最大の動作電圧の測定を可能とする測定回路を含む。回路は、最大動作電圧を保持することを可能とし、保持された最大動作電圧に基づいてプリチャージ電圧を調整することを可能とする。【選択図】図４
2006163404.tif 000002
【特許請求の範囲】
【請求項１】
ラインとカラム上に配置された発光ダイオードから構成されたマトリックスディスプレイを制御するための回路であって、スクリーンのラインを連続的に選択可能とし、選択された一組のラインの各ラインに対して、カラムの選択を可能とし、前記選択されたラインと前記選択されたカラムの発光ダイオードを点灯し、各選択されたカラムの電圧は動作電圧に設定され、
前記一組のラインからの各ラインを選択する前に、少なくとも選択される前記カラムをプリチャージ電圧にプリチャージすることを可能とし、このプリチャージ電圧（VPRE）を調節させる装置を含み、該装置は
前記一組のラインからのラインの各選択において、前記選択カラムの動作電圧中の最大動作電圧の測定を可能とする測定回路(mi)と、
前記一組のラインからのラインの各選択において、測定された最大動作電圧を保持することを可能とする記憶回路(CHOLD)と、
前記一組のラインからのラインの各選択の後に、保持された最大の動作電圧を基にプリチャージ電圧を調整することを可能とする調整回路(48)を
含むことを特徴とするマトリックスディスプレイを制御するための前記回路。
【請求項２】
前記測定回路(mi)は、前記一組のラインからのラインの各選択において、マトリックスディスプレイのカラムの電圧中の最大電圧を測定することを可能とし、非導通発光ダイオードと関連した各カラムに対して該測定回路を非駆動させることを可能とする防御回路（P'i）を含むことを特徴とする請求項１に記載の制御回路。
【請求項３】
前記記憶回路（CHOLD）は、新しい最大動作電圧の測定がない限り、少なくともマトリックスディスプレイ上でイメージが表示されている期間の間、最大動作電圧の測定値を保持することを可能とすることを特徴とする請求項１に記載の制御回路。
【請求項４】
参照分岐(bref)とバイアス電圧（VPOL）に接続されたいくつかの二重分岐(b1からbn)を含むカレントミラー(40)を含み、各二重分岐はカラムに接続され、参照分岐は参照電流源(42)に接続されることを特徴とする請求項１に記載の制御回路。
【請求項５】
前記カレントミラーの各分岐(bi)が電界効果PMOS型二重トランジスタ（Pi）を有し、このトランジスタは、ソースがバイアス電圧（VPOL）に接続され、各分岐のトランジスタのゲートは共に接続され、参照分岐のトランジスタのドレインとゲートが参照電流源(42)に接続され、二重分岐のトランジスタのドレインがカラムに接続されていることを特徴とする請求項４に記載の制御回路。
【請求項６】
前記測定回路(mi)が、各カラムに対して、電界効果PMOS型保護トランジスタ(P'i)と電界効果NMOS型測定トランジスタ（Ni）を有し、該トランジスタP'iはソースがバイアス電圧（VPOL）に接続され、ドレインが二重トランジスタのドレインに接続され、Niはドレインが保護トランジスタに接続され、ゲートがカラムに接続され、ソースが測定点（Co）に接続されていることを特徴とする請求項５に記載の制御回路。
【請求項７】
前記記憶回路はスイッチ(46)を通して測定点（Co）に接続されている一端をもつコンデンサ（CHOLD）を含んでいることを特徴とする請求項６に記載の制御回路。
【請求項８】
ラインとカラム上に配置された発光ダイオードから構成されたマトリックスディスプレイの制御回路のプリチャージ電圧（VPRE）を調整するための方法であって、
マトリックスディスプレイのラインを連続的に選択する段階および、選択された一組のラインからの各ラインに対して、
カラムをプリチャージ電圧にプリチャージし、
前記ラインを選択し、
発光ダイオードを点灯するため前記ライン上のカラムを選択し、各選択されたカラムの電圧を動作電圧に設定し、
前記選択カラムの動作電圧の中で最大動作電圧を測定し、
前記最大動作電圧を保持し、
保持された最大動作電圧を基にプリチャージ電圧を調節させる
ことを繰り返す段階を含むことを特徴とするプリチャージ電圧（VPRE）を調節するための方法。
【請求項９】
最大動作電圧測定の前記段階は、前記一組のラインからのラインの各選択に対して、マトリックスディスプレイのカラム電圧の中から最大電圧を測定する回路(Ni)を提供し、非導通発光ダイオードに関連する各カラムに対して測定回路を非駆動することを特徴とする請求項８に記載の方法。
【請求項１０】
新しい最大動作電圧の測定がない限り、前記最大動作電圧が少なくともマトリックスディスプレイ上のイメージの表示の間保持されていることを特徴とする請求項８に記載の方法。
【発明の詳細な説明】
【技術分野】
【０００１】
本発明は、発光ダイオードの集合から構成されるエレクトロルミネッセンスディスプレイマトリックススクリーン装置に関する。例えば、それらには有機ダイオード（“OLED”有機LED）または高分子ダイオード（“PLED”高分子LED）により構成されるスクリーンがある。より詳細には、本発明はそのようなスクリーンの発光ダイオードの制御回路のプリチャージ電圧の調整に関する。
【背景技術】
【０００２】
図１は発光ダイオードを有するマトリックススクリーン10の例を表している。スクリーン10の各ピクセルは発光ダイオード12から構成される。ダイオード12はYラインとXカラム上に配列されている。同じラインのダイオード12のカソードはライン電極14に接続され、同じカラムのダイオード12のアノードはカラム電極16に接続されている。
【０００３】
現在使われている標準によれば、スクリーン10のイメージ表示は、フレームまたは二つの連続するフレームの表示によって得られる。フレームの表示において、マトリックススクリーン10のアドレッシングは、ラインを制御するための回路18（通常ラインドライバと呼ばれる）を通しラインごとに行われる。選択された即ち駆動されたライン14の電極はグラウンドに接続されて、一方非駆動の電極は高インピーダンスにあるか高電圧に接続されている。同時に駆動されたラインのダイオード12の駆動または非駆動に関する情報は、カラムを制御するための回路20（通常カラムドライバと呼ばれる）を通してカラム電極16によって伝達され、この回路20は駆動されるダイオード12に接続されたカラム電極16の中に電流を流す。
【０００４】
図２は、図１のマトリックススクリーン10のピクセルのより特別なモデルを示している。各ピクセルは、浮遊コンデンサ22と並列な非抵抗性および非容量性の発光ダイオード12から構成される。有機またはポリマー発光ダイオードにより構成される300μｍ2のピクセルに対して、その浮遊コンデンサはほぼ25pFの容量を持つ。ダイオード12と直列な第一の抵抗24は、ピクセルに接続されたカラム電極16の部分の抵抗を表している。ダイオード12と直列な二番目の抵抗25は、ピクセルに接続されたライン電極14の部分の抵抗を表している。
【０００５】
ピクセルの高容量の性質から、ピクセル駆動の電流の一部分が、ダイオード12が動作する電圧まで浮遊コンデンサ22を充電するため、最初に必要である。したがって電流の一部分のみが発光のために使用される。ダイオード12の輝度は、ダイオード12が電流を流している時間の平均およびこの電流の平均値に比例する。例として、有機発光ダイオードマトリックスディスプレイの駆動したピクセルの電力消費は、ピクセルのダイオード12に対する発光の消費電力（全消費電力のおよそ57％の量である）、ピクセルの容量の性質に起因した寄生消費電力（全消費電力のおよそ40％である）およびピクセルの直列な抵抗24，25に起因した抵抗性消費電力（全消費電力のおよそ3％である）に分けられる。
【０００６】
ピクセルに関連した浮遊コンデンサ22を充電するために要求される時間は、ピクセルのターンオンの期間を定め、ピクセルの発光に対応する駆動フェーズの期間を減少される。特に、ターンオン期間は駆動するためピクセルに提供された電流の強度に依存する。ピクセルアドレッシングフェーズの全期間は一定であるため、ターンオン期間が長くなればなるほど、ダイオード12を通して流れる同じ電流に対して、得られる輝度は低くなる。
【０００７】
そのような欠点を解決するため、マトリックスディスプレイ10の全ピクセルのプリチャージをスクリーンライン選択前に実行させることができる。プリチャージを伴ったアドレッシングは、スクリーン10の各ピクセルをある電圧にバイアスすることを可能とする。そのため、そのピクセルが駆動したとき、駆動のためにダイオード12に流された電流は発光のためだけに使用されて、ピクセルの浮遊コンデンサ22の充電のためには使用されない。
【０００８】
図３Ａから図３Ｃは、ピクセルのプリチャージを伴うアドレッシングの連続段階を表している。
【０００９】
図３Ａから図３Ｃにおいて、図１のスクリーン10の単一のカラム電極16が表されており、駆動されることが望まれるカラム電極16に接続された単一のピクセル26が分離されている。ピクセル26はダイオード12および関連した浮遊コンデンサ22によって表されている（寄生抵抗24，25は図示されていない）。ピクセル26に接続されたライン電極14は示されており、スクリーン10の他のライン電極は、ダイオード12のアノードに接続されたひとつの分岐14'によって象徴化されている。コンデンサ22'は分岐14'上に表され、それはスクリーン10の他のライン電極とカラム電極16に接続されたピクセルに並列な浮遊コンデンサの集合体と等価である。コンデンサ22'の容量は、大体において浮遊コンデンサ22のY-1倍に等しい。
【００１０】
考慮されるカラム電極16に関係付けられたカラム制御回路20の特別な要素のみが表されている。そのような要素はスクリーン10の各カラム電極と同一であることが知られているからである。
【００１１】
ライン制御回路18は、ライン電極14を交互にグラウンドGNDまたは高電圧VOFFに接続することを可能とする二つのスイッチ27，28を含む。ライン電極14のみが駆動されるので、他のスクリーンラインに関しては、ライン制御回路は二つのスイッチ27'，28'によって象徴化されている。このスイッチは分岐14'を交互にグラウンドGNDまたは高電圧VOFFに接続することを可能としている。
【００１２】
カラム制御回路20は、カラム電極16を交互にグラウンドGND、プリチャージ電圧VPREまたは電流源ILUMの第一の一端に接続することを可能とする三つのスイッチ31，32，33を含む。電流源ILUMの二番目の一端は、バイアス電圧源VPOLに接続されている。
【００１３】
図３Ａは、スクリーン10の二つのラインの連続する選択の間で、スクリーン10の全ピクセルを放電する。プリチャージによるアドレッシングの第一の段階を示している。このとき、全スクリーンラインは非駆動状態である。これはスクリーン10のライン電極14，14'が高電圧VOFFに接続されていることを意味する。次に、カラム電極16に接続された全ピクセルの浮遊コンデンサ22、22'を放電するため、各カラムノード16は、スイッチ31を通してグラウンドGNDに接続される。
【００１４】
図３Ｂは、ライン選択前に、スクリーン10の全ピクセルを充電している二番目の段階を示している。全ライン電極14，14'は高電圧VOFFに接続されたままである。各カラム電極16はスイッチ32を通してプリチャージ電圧VPREに達する。各ピクセルの浮遊コンデンサ22は電圧VPRE-VOFFにプリチャージされる。プリチャージ電圧VPREは、次の段階のピクセル駆動で、カラム電極16が動作をする電圧に近い。
【００１５】
図３Ｃは、ピクセル26の駆動に対応した動作フェーズつまり三番目の段階を示している。駆動されるピクセル26に接続されたライン電極14は、スイッチ27を通してグラウンドGNDに接続されている。非駆動ラインのライン電極14'は高電圧VOFFに接続されたままである。電流源ILUMはスイッチ33を通してピクセル26に接続されている。したがって電流が光を放射するダイオード12通して流れる。電流源ILUMは、コンデンサ22のみを充電する必要があり、このコンデンサは、コンデンサ22'の容量のY-1倍の小さい容量であり、ダイオード12のターンオン時間に非常にわずかな影響しかを与えない。ダイオード12のアノードの電圧は動作電圧VCOLに設定される。
【００１６】
第一の放電の段階は、全スクリーンピクセルの浮遊コンデンサ22の放電で、以前の段階でのスクリーン10のピクセルの駆動の結果であるピクセルの残留電荷を消去する目的がある。
【００１７】
二番目のプリチャージの段階は、活動フェーズの期間を得るためピクセルのターンオン期間を減ずることを可能とする。活動フェーズの期間は、光の輝度、つまり活動フェーズの中でダイオードを通して流れる電流の強度から大体において独立である。
【００１８】
特許文献１に記述されているように、駆動されるスクリーンカラムのプリチャージを行うことのみも可能である。
【００１９】
スクリーンの発光ダイオードは同質ではなく、同じ輝度電流に対して、駆動されたダイオードを通る電圧は違っているかもしれない。しかしながら、そのような違いはたいてい相対的に小さいので、カラム制御回路を単純にするため、同じプリチャージ電圧が各選択されたカラムに印加される。
【００２０】
従来、プリチャージ電圧は事前に定義されている。例えば、経験によって得られた値に。そして、スクリーン動作の間一定のままである。しかしながら事前に定義されたプリチャージ電圧は一般的に最上の結果ではない。実際、選択されたカラムの動作電圧は、各選択されたラインに対して変化する輝度電流ILUMに従って、かなり大きく変動する可能性がある。さらに発光ダイオードを通して流れる同じ輝度電流に対して、ダイオードを通る電圧はダイオードの老化に従い増加する傾向にある。したがって同じ輝度のため、一定の輝度電流を伴いながら、カラムの動作電圧は時間とともに変化する。
【００２１】
カラムを選択すると、選択されたカラム上に印加される電圧はプリチャージ電圧から動作電圧に切換わる。したがって、プリチャージ電圧は、駆動された発光ダイオードの明るさの変更を避けるため、カラムの動作電圧からあまり離れることはできない。実際、もしプリチャージ電圧が非常に高いと、非常に高い電流が一時的に駆動された発光ダイオードによって導通され、駆動されたラインは望まれる光の強度より強い光の強度で現れる。逆にプリチャージ電圧が非常に低いと各選択されたカラムの電圧はプリチャージ電圧から動作電圧まで上げる必要がある。駆動した発光ダイオードを通して流れる電流は一時的に望まれた値より小さくなる可能性があり、駆動したラインは望まれる光の強度より小さい光の強度で現れる。
【００２２】
【特許文献１】米国特許第５，５９４，４６８号明細書
【発明の開示】
【発明が解決しようとする課題】
【００２３】
本発明の目的は、カラムの動作電圧に依存するプリチャージ電圧を提供する装置を含むマトリックスディスプレイを制御する回路を提供することである。
【００２４】
本発明の別の目的は、簡単な設計でプリチャージ電圧を提供する装置を含むマトリックスディスプレイを制御する回路を提供することである。
【課題を解決するための手段】
【００２５】
それらおよび他の目的を達成するため、本発明はラインと選択カラム上に配置された発光ダイオードから構成されたマトリックスディスプレイを制御するための回路を提供する。前記回路は、スクリーンのラインを連続的に選択することを可能とし、前記選択された一組のラインからの各ラインに対して、発光ダイオードを点灯するため前記ライン上のカラムの選択を可能とし、各選択されたカラムの電圧を動作電圧に設定することを可能とする。さらに前記回路は一組のラインからの各ラインを選択する前に、少なくとも選択される前記カラムをプリチャージ電圧にプリチャージすることを可能とし、このプリチャージ電圧を調節するための装置を含む。その装置は、前記一組のラインからのラインの各選択において、前記選択カラムの動作電圧中の最大動作電圧の測定を可能とする測定回路を含む。前記一組のラインからのラインの各選択において、測定された最大動作電圧を保持することが可能とする記憶回路を含み、前記一組のラインからのラインの各選択の後に、保持された最大の動作電圧を基にプリチャージ電圧を調整することを可能とする調整回路を含む。
【００２６】
本発明の実施態様によれば、測定回路は、前記一組のラインからのラインの各選択において、マトリックスディスプレイのカラムの電圧中の最大電圧を測定することを可能とする。測定回路は、非導通発光ダイオードと関連した各カラムに対して測定回路を非駆動させることを可能とする保護回路を含む。
【００２７】
本発明の実施態様によれば、記憶回路は、新しい最大動作電圧の測定がない限り、少なくともマトリックスディスプレイ上でイメージが表示されている期間の間、最大動作電圧の測定値を保持することを可能とする。
【００２８】
本発明の実施態様によれば、制御回路は、バイアス電圧に接続されたいくつかの二重分岐と参照分岐を含むカレントミラーを含む。各二重分岐はカラムに接続され、参照分岐は参照電流源に接続されている。
【００２９】
本発明の実施態様によれば、カレントミラーの各分岐は、電界効果PMOS型二重トランジスタを含む。そのソースはバイアス電圧に接続され、各分岐のトランジスタのゲートは共に接続されている。参照分岐のトランジスタのドレインとゲートは参照電流源に接続されている。二重分岐のトランジスタのドレインはカラムに接続されている。
【００３０】
本発明の実施態様によれば、測定回路は各カラムに対して、電界効果PMOS型トランジスタと電界効果NMOS型測定トランジスタを含む。電界効果PMOS型トランジスタはソースがバイアス電圧に接続され、ドレインが二重トランジスタのドレインに接続されている。電界効果NMOS型測定トランジスタは、ドレインが保護トランジスタに接続され、ゲートがカラムに接続され、ソースが測定点に接続されている。
【００３１】
本発明の実施態様によれば、記憶回路はスイッチを通して測定点と接続された一端を持つコンデンサを含む。
【００３２】
本発明は、ラインとカラム上に配置された発光ダイオードから構成されたマトリックスディスプレイの制御回路のプリチャージ電圧を調節させる方法も提供する。この方法は、マトリックスディスプレイのラインを連続的に選択する段階および、前記選択された一組のラインからの各ラインに対して、カラムをプリチャージ電圧にプリチャージする、ラインを選択する、発光ダイオードを点灯するため前記ライン上のカラムを選択し、各選択されたカラムの電圧を動作電圧に設定する、前記選択カラムの動作電圧の中で最大動作電圧を測定する、前記最大動作電圧を保持する、保持された最大動作電圧を基にプリチャージ電圧を調節させることを繰り返す段階を含む。
【００３３】
本発明の実施態様によれば、最大動作電圧測定の段階は、非導通発光ダイオードに関連するカラムに対して測定回路を非駆動すること、前記一組のラインからのラインの各選択に対して、マトリックスディスプレイのカラム電圧の中から最大電圧を測定することを可能とする回路を提供する段階を含む。
【００３４】
本発明の実施態様によれば、前記最大動作電圧は、新しい最大動作電圧の測定がない限り、少なくともマトリックスディスプレイ上のイメージの表示の間保持される。
【００３５】
本発明の前述のおよび他の目的、特徴および効果は、添付の図面を参照した特定の実施形態に関する以下の非限定的記載によって詳細に説明される。
【発明を実施するための最良の形態】
【００３６】
図４は、本発明によるプリチャージ電圧提供装置とカラム制御回路の構成例を示している。
【００３７】
カラム制御回路は、現在の例でカレントミラー40を含み、参照分岐brefとb1からbnまでのn個の二重分岐から構成される。各分岐は、PMOSトランジスタから構成され、Prefは参照分岐用であり、P1からPnは分岐b1からbn用である。各分岐のトランジスタのソースはバイアス電圧VPOLに接続され、ゲートは相互接続されている。参照分岐brefのトランジスタPrefのゲートとドレインは、PMOSパワートランジスタXrefのソースに接続されている。トランジスタXrefのドレインは、点Crefで参照電流源42の一端に接続されている。電流源42の他端は低参照電圧、たとえばグラウンドGNDに接続されている。パワートランジスタXrefのゲートは点Crefに接続されている。参照電流源42は輝度電流ILUMを提供する。各トランジスタPi(iは1からnまでの間)のドレインは、PMOSパワートランジスタXiのソースに接続されており、このトランジスタのドレインは、カラム電極（図示なし）の点Ciに接続されている。各パワートランジスタXrefとX1からXnは、トランジスタPrefとP1からPnのソースとドレインの間の電圧を、このトランジスタの動作範囲に対応しながら、制限することを可能とする。各トランジスタXi（iは1からnまでの間）はスイッチIiの一端に接続されており、このスイッチは二つのポジションがあり信号φCiによって制御される。このスイッチは、たとえば信号φCiが低準位のときバイアス電圧VPOLに、信号φCiが高準位のとき参照点CrefにトランジスタXiのゲートを接続することを可能とする。信号φCiが高準位のとき、トランジスタXiはオンであり、グラウンドと点Ciの間の電圧は、カラムの動作電圧に設定される。制御回路はさらに、各カラムに対して、点CiをグラウンドGNDの接続することのできるスイッチ（図示なし）と点Ciをプリチャージ電圧に接続することのできるスイッチ（図示なし）を含む。
【００３８】
本発明は、各二重分岐bi（iは1からnまでの間）に対して測定回路miを提供することを含む。測定回路miは、PMOSトランジスタP'iを含んでいる。PMOSトランジスタP'iは、ソースがバイアス電圧VPOLに接続され、ゲートが対応する二重分岐biのトランジスタPiのドレインに接続されている。各トランジスタP'iのドレインは、PMOSパワートランジスタX'i のソースに接続されており、X'iのゲートは二重分岐biに対応するパワートランジスタXiのゲートに接続さている。パワートランジスタX'iは、関連したトランジスタP'iのソースとドレインの間の電圧を、このトランジスタの動作範囲内で、制限することを可能にする。各パワートランジスタX'iのドレインは、フォロワーアセンブルのNMOSトランジスタNiのドレインに接続されており、Niのゲートは点Ci に接続されている。トランジスタN1からNnのソースは、点Coで、他端がグラウンドGNDに接続されている電流源44の一端に接続されている。電流源44は、NMOSトランジスタN1からNnまでのバイアスのため、バイアス電流IPOLを提供する。信号TONによって制御されるスイッチ46は、他端がグラウンドGNDに接続されているコンデンサCHOLDの一端を点Coに接続することを可能とする。コンデンサCHOLDの両端の電圧は、プリチャージ電圧VPREを提供するアンプ48を駆動する。
【００３９】
そのような回路の動作は次のようになる。スクリーンラインの駆動フェーズの前、すべてのカラムまたは次の駆動フェーズで選択されるカラムのみがプリチャージ電圧VPREに充電される。駆動フェーズで、信号φC1からφCnは、選択されたカラムに対して高い状態であり、他のカラムに対しては低い状態である。選択されたカラムの点Ciとグラウンドの間の電圧は、カラムの動作電圧に設定される。トランジスタN1からNnはフォロワーアセンブルのため、点CoとグラウンドGNDの間の電圧は、点C1からCnとグラウンドGNDの間の電圧の中で最も高い電圧に等しい。次にスイッチ46がオンになり、ノードCoとグラウンドの間の電圧がコンデンサCHOLDの両端に印加される。スイッチ46は少なくともラインのピクセルのひとつが光っているときのみオンになる。スイッチ46のオンの期間は変化する可能性があるが、電流IPOLによるコンデンサCHOLDの放電を避けるため、スクリーンラインの駆動フェーズの期間を超えることはない。コンデンサCHOLDの両端で維持される電圧を基にして、アンプ48は次のカラムのプリチャージ段階で使用される新しいプリチャージ電圧VPREを提供する。
【００４０】
選択されていないカラムに対して、トランジスタXiはオフであり、対応する点Ciはグラウンドされている。トランジスタNiはオフである。点CiとグラウンドGNDの間の電圧はしたがって、プリチャージ電圧VPREの決定に考慮されることはない。
【００４１】
したがって本発明は、スクリーンダイオードの動作電圧の時間変化にしたがってプリチャージ電圧VPREを調整させることを可能とする。
【００４２】
本発明による装置は、さらにオープンピクセルまたは短絡ピクセルタイプの欠陥の存在から無関係にプリチャージ電圧VPREを提供することを可能とする。オープンピクセルは、カラムとピクセルの発光ダイオードのアノード間接続の切断または、ラインと発光ダイオードのカソード間接続の切断に対応する。短絡ピクセルは、ピクセルレベルでのラインとカラムの間の短絡に対応する。
【００４３】
オープンピクセルの場合、例えば、点C1と関連付けられているカラムのピクセルであった場合、パワートランジスタX1がオンのとき、カラムはオープンで高インピーダンスであり、トランジスタP1のドレインでの電圧はバイアス電圧VPOLに上昇する。トランジスタP'1のゲート上の電圧はバイアス電圧VPOLと等しくなり、トランジスタP'1はオフである。それゆえ、トランジスタP'1を通して電流は流れない。トランジスタN1はもはや供給されなくなり、コンデンサCHOLDを充電できない。したがって点C1とグラウンドGND間の電圧は、プリチャージ電圧VPREの決定に対して考慮されない。もし、トランジスタN1のドレインが直接バイアス電圧VPOLに接続された場合、トランジスタN1のソースの電圧は、電圧VPOLとトランジスタのゲートソース電圧との差に等しくなり、点Coで得られる電圧は正しくなくなる。したがって、トランジスタP'1は、オープンピクセルカラムの動作電圧を考慮しないことが可能となる。
【００４４】
短絡ピクセルの場合、例えば、点C1と関連付けられカラムのピクセルであった場合、点C1は直接グラウンドされている。したがってトランジスタN1はオフである。点C1とグラウンドの間の電圧はプリチャージ電圧の決定に考慮されない。
【００４５】
コンデンサCHOLDの容量は十分に高いので、少なくとも全スクリーンラインの駆動に対応する期間の間、コンデンサCHOLDのレベルで漏れを制限する。これは、スクリーン上のイメージ表示で単一のスクリーンラインが表示されているときでさえ、正しいプリチャージ電圧VPREを提供することを可能とする。
【００４６】
もちろん、本発明は、当業者に容易なさまざまな変更、修正、改良が可能である。特にカレントミラーは、より多数のトランジスタで構成されることができる。
【００４７】
そのような変更、修正、改良は、この開示の一部であり、本発明の範囲と趣旨に含まれるものである。したがって、以上の記述は単なる例示であり、これによって限定されるものではない。本発明は、特許請求の範囲とその均等範囲によってのみ限定される。
【図面の簡単な説明】
【００４８】
【図１】発光ダイオードを有する従来のマトリックスディスプレイを表している。
【図２】発光ダイオードマトリックスディスプレイのピクセルの従来のモデルを表している。
【図３Ａ】図１のスクリーンのイメージ表示するために一般に行われている従来の連続的な段階を例示している。
【図３Ｂ】図１のスクリーンのイメージ表示するために一般に行われている従来の連続的な段階を例示している。
【図３Ｃ】図１のスクリーンのイメージ表示するために一般に行われている従来の連続的な段階を例示している。
【図４】本発明にしたがってプリチャージ電圧を提供する装置の構成例を例示している。
【符号の説明】
【００４９】
１０  マトリックススクリーン
１２  発光ダイオード
１４、１４’  ライン電極
１６  カラム電極
１８  ラインドライバ
２０  カラムドライバ
２２、２２’  浮遊コンデンサ
２４、２５  抵抗
２６  ピクセル
２７、２７’、２８、２８’、３１、３２、３３   スイッチ
４０  カレントミラー
４２  参照電流源
４４  電流源
４６  スイッチ
４８  アンプ
【図１】
2006163404.tif 000003
【図２】
2006163404.tif 000004
【図３Ａ】
2006163404.tif 000005
【図３Ｂ】
2006163404.tif 000006
【図３Ｃ】
2006163404.tif 000007
【図４】
2006163404.tif 000008
【外国語明細書】
2006163404.tif 000009
2006163404.tif 000010
2006163404.tif 000011
2006163404.tif 000012
2006163404.tif 000013
2006163404.tif 000014
2006163404.tif 000015
2006163404.tif 000016
2006163404.tif 000017
2006163404.tif 000018
2006163404.tif 000019
2006163404.tif 000020
2006163404.tif 000021
2006163404.tif 000022
2006163404.tif 000023
2006163404.tif 000024
2006163404.tif 000025
2006163404.tif 000026